(57)【要約】【課題】輸送時の振動等により保護シートが弛んだり位置がずれたりすることがなく感光体を十分に保護することができ、また、保護シートの取り外し時に感光体表面に傷や付着物が付きにくく、感光体の性能低下が起こりにくい円筒状電子写真用感光体の梱包方法や、そのように梱包された円筒状電子写真用感光体を提供する。【解決手段】円筒状電子写真用感光体１の外表面には、保護シート２が巻き付けられた状態で固定される。保護シート２の巻端部２ａと巻止部２ｂは、中央が粘着部３ｃとなっており両端が非粘着部３ａ、３ｂとなっている粘着テープにより粘着固定されている。保護シート２を取り付ける（巻き付ける）際には巻止部側非粘着部３ｂを把持し、保護シート２の巻き付け方向と同じ方向に引っ張る。保護シート２を取り外す際には、巻端部側非粘着部３ａを把持して引き上げる。【選択図】図６
2017151272.tif 000002
【特許請求の範囲】
【請求項１】
外表面に感光層を保護するための保護シートが巻き付けられた状態で固定されている円筒状電子写真用感光体であって、該保護シートの周沿辺は、該円筒状電子写真用感光体の外周長よりも長くなっており、該保護シートの巻端部と巻止部は、中央が粘着部となっており両端が非粘着部となっている粘着テープにより粘着固定されており、該粘着テープの両端の２つの非粘着部のうち一方は巻端部側に、他方は巻止部側に位置していることを特徴とする円筒状電子写真用感光体。
【請求項２】
上記粘着テープは、矩形状である請求項１に記載の円筒状電子写真用感光体。
【請求項３】
円筒状電子写真用感光体の感光層を保護するために保護シートを該円筒状電子写真用感光体の外表面に巻き付け、該保護シートの巻端部と巻止部を粘着テープにより粘着固定する円筒状電子写真用感光体の梱包方法であって、該保護シートの周沿辺は、該円筒状電子写真用感光体の外周長よりも長くなっており、該粘着テープは、中央が粘着部となっており、両端が非粘着部となっており、２つの非粘着部のうち一方は巻端部側に、他方は巻止部側に位置するように該保護シートの巻端部と巻止部を粘着固定することを特徴とする円筒状電子写真用感光体の梱包方法。
【請求項４】
上記保護シートの巻端部と巻止部を上記粘着テープで粘着固定する際に、巻止部側に位置する非粘着部を把持し、該保護シートの巻き付け方向に引っ張りながら粘着固定する請求項３に記載の円筒状電子写真用感光体の梱包方法。
【発明の詳細な説明】
【技術分野】
【０００１】
本発明は、円筒状電子写真用感光体及び円筒状電子写真用感光体の梱包方法に関する。
【背景技術】
【０００２】
電子写真技術は、即時性、高品質の画像が得られること等から、複写機、プリンター、ファクシミリ等の分野で広く使われ応用されている。
【０００３】
電子写真技術で使用される電子写真用感光体（以下、本明細書において単に「感光体」という場合がある。）は、円筒状基体の表面に有機系等の光導電材料の感光層を形成されるのが最もよく用いられる形態である。この感光層は電子写真プロセスにおいて光学像を静電潜像に変換するなどの重要な役割を持っているので、感光層の外表面を機械的な損傷、強光による劣化、汚染物質の付着等から保護するために、保護シートで被覆する梱包方法が一般に採用されている。
【０００４】
感光層の外表面を機械的な損傷等から保護する保護シートは、弛みが無い様に感光体に巻き付けることが求められる。弛みがあると、輸送時の振動等により感光層の外表面と保護シートが摺擦し感光層の表面に微細な傷をつけてしまう、保護シートの位置がずれてしまい本来保護すべき部分が露出してしまう、等の問題が発生する。
【０００５】
保護シートを感光体に巻き付けて固定するために、粘着テープを使用した方法が種々提案されている（特許文献１〜４）。このような粘着テープを使用した方法は、保護シートを感光体の外表面に比較的強固に固定することはできるものの、開梱時に保護シートを取り外すために粘着テープを剥がす際に、大きな力をかけて感光層に傷をつけてしまったり、剥がした粘着テープに残存した粘着剤が感光体表面に付着してしまったりといった問題があった。
【０００６】
また、特許文献５には、一端に粘着剤のない剥離部を備えた粘着テープを使用した感光体の梱包方法が開示されている。特許文献５の梱包方法では、遮光シート（保護シート）を感光体に巻き付けて固定する際に、一端に粘着剤のない剥離部を備えた粘着テープ１３（図７）を用い、粘着テープ１３の非粘着部（剥離部）１３ａを把持し、遮光シート（保護シート）２の巻端部２ａと巻止部２ｂを粘着テープ１３の粘着部１３ｃで貼着し、保護シート２を感光体１の外表面上で固定している（図８）。
【０００７】
特許文献５の梱包方法では、開梱時に保護シート２を取り外す際に、粘着テープの非粘着部（剥離部）１３ａを掴んで引き上げることができ、保護シート２を取り外した際に、粘着テープ１３は巻止部２ｂの側に残るので、保護シートの周沿辺をある程度長くすれば、感光体１の外表面に粘着テープ１３の粘着剤が付着することを防止することができる。
【０００８】
しかしながら、特許文献５の梱包方法では、保護シート２を感光体１に巻き付けて粘着テープ１３で固定する際に、保護シート２が弛まないように張力をかける方向と、粘着テープ１３を貼りつける方向が反対となってしまう。このため、粘着テープ１３を貼りつける際に保護シート２が弛んでしまい、前記した輸送時の振動による摺擦に起因する傷の問題や、保護シート２の位置がずれて保護すべき部分が露出してしまう問題は解決できていない。
【０００９】
感光体表面のわずかな傷や付着物であっても、画像不良の原因となるため、かかる公知技術では不十分であり、改善の余地があった。
【先行技術文献】
【特許文献】
【００１０】
【特許文献１】特開平９−２４９２７６号公報
【特許文献２】特開平１０−１６７３４０号公報
【特許文献３】特開２００２−１６０７８５号公報
【特許文献４】特開２００５−１９５８５３号公報
【特許文献５】特開平１０−０７２０７５号公報
【発明の概要】
【発明が解決しようとする課題】
【００１１】
本発明は上記背景技術に鑑みてなされたものであり、その課題は、輸送時の振動等により保護シートが弛んだり位置がずれたりすることがなく感光体を十分に保護することができ、また、保護シートの取り外し時に感光体の向きに依存せず容易に取り外すことができ、感光体表面に傷や付着物が付きにくく、感光体の性能低下が起こりにくい円筒状電子写真用感光体の梱包方法や、そのように梱包された円筒状電子写真用感光体を提供することにある。
【課題を解決するための手段】
【００１２】
本発明者らは、上記の課題を解決すべく鋭意検討を重ねた結果、感光体に巻き付ける保護シートを、粘着テープを使用して固定する際に、中央が粘着部となっており両端が非粘着部となっている粘着テープを使用すれば、保護シートの取り付け（巻き付け）時には、巻止部側に位置する非粘着部を把持し張力をかけながら巻き付けることが可能であるため、粘着テープにより固定された保護シートには弛みが少なく、また、保護シートの取り外し時には、巻端部側に位置する非粘着部を把持して引き上げることで、粘着部の巻端部側の部分が剥がされ、粘着テープが巻合部と巻止部の境界付近に残り、感光体表面への粘着剤の付着を防止できることを見出した。その結果、保護シートの取り付け（巻き付け）時、及び、取り外し時の双方において、感光体表面の傷や付着物に起因する画像不良を防止することができることを見出して、本発明を完成するに至った。
【００１３】
すなわち、本発明は、外表面に感光層を保護するための保護シートが巻き付けられた状態で固定されている円筒状電子写真用感光体であって、該保護シートの周沿辺は、該円筒状電子写真用感光体の外周長よりも長くなっており、該保護シートの巻端部と巻止部は、中央が粘着部となっており両端が非粘着部となっている粘着テープにより粘着固定されており、該粘着テープの両端の２つの非粘着部のうち一方は巻端部側に、他方は巻止部側に位置していることを特徴とする円筒状電子写真用感光体を提供するものである。
【００１４】
また、本発明は、円筒状電子写真用感光体の感光層を保護するために保護シートを該円筒状電子写真用感光体の外表面に巻き付け、該保護シートの巻端部と巻止部を粘着テープにより粘着固定する円筒状電子写真用感光体の梱包方法であって、該保護シートの周沿辺は、該円筒状電子写真用感光体の外周長よりも長くなっており、該粘着テープは、中央が粘着部となっており、両端が非粘着部となっており、２つの非粘着部のうち一方は巻端部側に、他方は巻止部側に位置するように該保護シートの巻端部と巻止部を粘着固定することを特徴とする円筒状電子写真用感光体の梱包方法を提供するものである。
【発明の効果】
【００１５】
本発明によれば、感光体に保護シートを強固に巻き付けることができ、輸送時の振動等に起因する不具合が少ない感光体の梱包方法や、そのように梱包された感光体を提供することができる。
【００１６】
また、本発明の梱包方法では、保護シートを取り外す際に、巻端部側の非粘着部を掴んで引き上げることで、容易に粘着テープを剥がすことができ、剥がされた粘着テープは巻合部と巻止部の境界付近に残るので、感光体の外表面への粘着剤の付着を防止することができ、取り外し作業に起因する感光体の不具合も防止することができる。
【００１７】
本発明の梱包方法は、保護シート自体に特別な加工をするのではなく、保護シートを固定する粘着テープとして、特殊な粘着テープを使用する。このため、本発明の梱包方法は、保護シートの選択の幅が増える。
【図面の簡単な説明】
【００１８】
【図１】本発明における保護シートの取り付け方法の一例を示す図である。  （ａ）保護シートを感光体に取り付ける（巻き付ける）前の状態を示す斜視図  （ｂ）保護シートを感光体に取り付けた（巻き付けた）状態を示す斜視図  （ｃ）保護シートを感光体に取り付けた（巻き付けた）状態における貼付部の拡大断面図
【図２】本発明における保護シートの一例を示す図である。点線は、保護シートを巻いて感光体に取り付けた場合の巻合部と巻止部の境界を示す。
【図３】本発明における粘着テープの一例を示す斜視図である。網掛け部分は粘着剤が塗布された部分を示す。
【図４】本発明における粘着テープの様々な形態の例を示す図である。網掛け部分は粘着剤が塗布された部分を示す。  （ａ）矩形状の粘着テープ  （ｂ）基材の片面全体に粘着剤を塗布し、両端部を折り曲げた粘着テープ    （ｃ）楕円形状の粘着テープ  （ｄ）粘着部の一部に粘着剤が塗布されていない粘着テープ  （ｅ）巻止部側非粘着部を巻端部側非粘着部に比べて広く設けた粘着テープ
【図５】本発明において２つの粘着テープ３で保護シートを粘着固定した状態を示す斜視図である。
【図６】本発明における保護シートの取り付け方法及び取り外し方法の一例を示す図である。点線は、巻合部と巻止部の境界を示す。    （ａ）保護シートを感光体に取り付ける（巻き付ける）際の状態を示す斜視図  （ｂ）保護シートを感光体から取り外す際の状態を示す斜視図  （ｃ）保護シートを感光体から取り外した後の状態を示す斜視図
【図７】従来技術における粘着テープの一例を示す斜視図である。網掛け部分は粘着剤を塗布された部分を示す。
【図８】従来技術における保護シートの取り付け方法を示す図である。  （ａ）保護シートを感光体に取り付けた（巻き付けた）状態を示す斜視図  （ｂ）保護シートを感光体に取り付けた（巻き付けた）状態における貼付部の拡大断面図
【発明を実施するための形態】
【００１９】
以下、本発明について説明するが、本発明は以下の実施の形態に限定されるものではなく、任意に変形して実施することができる。
【００２０】
図１に示すように、本発明の円筒状電子写真用感光体１は、外表面に感光層を保護するための保護シート２が巻き付けられた状態で固定されている。
【００２１】
＜円筒状電子写真感光体＞
円筒状電子写真感光体１については、特に制限はなく、円筒状の導電性支持体上に、感光層を公知の方法で塗布した公知の感光体が使用される。感光層が電荷発生層と電荷輸送層から構成される積層型感光体でも、単一の感光層からなる単層型感光体でもよい。
また、大きさ（外径、軸方向の長さ）についても特に制限はない。
【００２２】
＜保護シート＞
保護シート２は、図２に示すように、略矩形状であり、感光体１に巻き付けて感光体１を衝撃から保護し、強光による感光体の劣化を防止するためのものである。
保護シート２としては、遮光機能を持つ黒色の上質紙が多用される。また、遮光機能を持つ黒色の合成樹脂フィルムや、上質紙を合成樹脂でコートしたフィルムが用いられることもある。保護シート２には導電性物質を添加し静電気防止機能を付与することが多い。
【００２３】
保護シート２の周沿辺２Ｌの長さは、円筒状電子写真用感光体１の外周長（外径×円周率）よりも長くなっている。
このため、保護シート２を感光体１に巻き付けると、保護シート２が感光体１を１周し、保護シート２が重なり合う部分ができる。この重なり合う部分を、粘着テープ３により粘着することにより、保護シート２を固定する。
【００２４】
保護シート２の周沿辺２Ｌの長さは、円筒状電子写真用感光体１の外周長に対して、１．０５倍以上であることが好ましく、１．１倍以上であることがより好ましい。また、１．５倍以下であることが好ましく、１．３倍以下であることがより好ましい。
上記下限以上であると、粘着テープ３を貼るのに十分なスペースが確保できる。また、上記上限以下であると、保護シート２の使用量を抑えることができる（上記上限を超えて保護シート２の周沿辺２Ｌを長くしても材料費が無駄になるだけである）。
すなわち、保護シート２の周沿辺２Ｌの長さは、感光体１の外周長より少し長い程度が好ましい。
【００２５】
保護シート２の幅員辺２Ｗの長さは、感光体１の外表面を満遍無く保護するため、感光体１の軸方向の長さと等しいか、わずかに（１〜３ｍｍ程度）短いことが好ましい。わずかに短い場合、感光体１の端部との正確な位置合わせを簡略化でき、好ましい。
【００２６】
保護シート２において、感光体１に巻き付けて粘着テープ３で固定した際に、外から見える端部付近を「巻端部（２ａ）」という。巻端部２ａと重なり、外から見えない部分を「巻合部（２ｃ）」という。巻合部２ｃに隣接した外から見える部分を「巻止部（２ｂ）」という。
【００２７】
保護シート２の巻端部２ａと巻止部２ｂは、中央が粘着部となっており両端が非粘着部となっている粘着テープ３により粘着固定されている。
【００２８】
＜粘着テープ＞
図３に、本発明で使用される粘着テープ３の一例を示す。粘着テープ３は、中央が粘着剤を塗布された粘着部３ｃとなっており、両端が非粘着部３ａ、３ｂとなっている。
【００２９】
図１（ｂ）に示すように、保護シート２の巻端部２ａと巻止部２ｂは、粘着テープ３の粘着部３ｃにより粘着固定される。粘着テープ３の両端の２つの非粘着部３ａ、３ｂのうち、一方は巻端部２ａの側に、他方は巻止部２ｂの側に位置している。以下、巻端部２ａの側の非粘着部を「巻端部側非粘着部（３ａ）」、巻止部２ｂの側の非粘着部を「巻止部側非粘着部（３ｂ）」という場合がある。
巻止部側非粘着部３ｂは保護シート２の取り付け（巻き付け）時に使用され、巻端部側非粘着部３ａは保護シート２の取り外し時に使用されることが好ましい。巻止部側非粘着部３ｂと巻端部側非粘着部３ａの果たす役割が全く異なる場合は、両者の形状は同一である必要は無い。
【００３０】
粘着テープ３は、基材に粘着剤を塗布したものである。粘着テープ３の基材の材質について特に限定はなく、紙、布、フィルム、金属箔等が使用できる。粘着剤の材質についても特に限定はなく、アクリル系粘着剤、ゴム系粘着剤等が使用できる。
粘着剤の粘着力は、輸送時の振動等で粘着テープが外れたり弛んだりせず、また、取り外し時に巻端部側非粘着部３ａを把持して引き上げる際に大きな力をかけずに容易に取り外すことができればよい。本発明では、粘着テープ３は、保護シート２を取り外した後、巻合部２ｃと巻止部２ｂの境界付近に残り、粘着剤により感光体１を汚染することが無いので、特許文献２や特許文献３の発明のように、粘着力を厳密に規定する必要はない。
【００３１】
粘着テープ３は、基材の片面の中央にのみ粘着剤を塗布し、両端部に粘着剤を塗布しないで粘着部３ｃ、非粘着部３ａ、３ｂを形成してもよいし、図４（ｂ）に示すように、基材の片面全体に粘着剤を塗布し、両端部を折り曲げることにより、中央に粘着部３ｃ、両端に非粘着部３ａ、３ｂを形成してもよい。
【００３２】
粘着テープ３の形状は、図４（ａ）に示すような矩形状であってもよいし、図４（ｃ）に示すような楕円形状であってもよく、その他の形状であってもよい。
粘着テープ３は、保護シート２の巻端部２ａと巻止部２ｂを粘着部３ｃにより粘着固定するために使用するものであり、粘着部３ｃの幅をある程度取れるように、図４（ａ）〜（ｅ）に示すような横長の形状が好ましい。
【００３３】
粘着テープ３の中央に設けられた粘着部３ｃは、全体に粘着剤が塗布されていなくてもよい。例えば、図４（ｄ）に示すように、粘着部の一部に粘着剤が塗布されていない場合が、本発明の範囲外となるものではない。このような場合であっても、巻端部２ａと巻止部２ｂを十分に粘着固定するために、巻端部２ａと巻止部２ｂの境界に対応する部分には、通常、粘着剤が塗布されている。
また、粘着部３ｃにおいて、粘着剤は均一に塗布されている必要は必ずしもなく、例えば、巻端部２ａと巻止部２ｂの境界付近に粘着剤を多く塗布してもよい。
【００３４】
図４（ｅ）に示すように、巻止部側非粘着部３ｂを、巻端部側非粘着部３ａに比べて広く設けてもよいし、或いはその逆でもよい。
【００３５】
粘着テープ３の表面（粘着剤が塗布されていない面）側が、印刷可能となっていると、印字・着色等を施すことにより、２つの非粘着部を識別するのが容易となる。
【００３６】
粘着テープ３が、図４（ａ）に示すような横長な矩形状である場合、長辺３Ｌの長さは、１５ｍｍ以上であることが好ましく、２０ｍｍ以上であることがより好ましく、３０ｍｍ以上であることが特に好ましい。また、１００ｍｍ以下であることが好ましく、８０ｍｍ以下であることがより好ましく、６０ｍｍ以下であることが特に好ましい。
上記範囲内であると、巻端部２ａと巻止部２ｂの境界付近を確実に固定することができ、輸送・保管中に保護シート２が外れにくくなる。また、上記上限を超えて長辺３Ｌを長くしても、材料費がかさむだけである。
【００３７】
また、短辺３Ｗの長さは、５ｍｍ以上であることが好ましく、７ｍｍ以上であることがより好ましく、９ｍｍ以上であることが特に好ましい。また、３０ｍｍ以下であることが好ましく、２０ｍｍ以下であることがより好ましく、１５ｍｍ以下であることが特に好ましい。
上記範囲内であると、巻端部２ａと巻止部２ｂの境界付近を確実に固定することができ、輸送・保管中に保護シート２が外れにくくなる。
【００３８】
粘着部３ｃの面積を１とした場合、２つの非粘着部３ａ、３ｂの面積の和は０．１以上が好ましく、０．３以上であることがより好ましい。また、０．８以下が好ましく、０．６以下がより好ましい。
上記範囲内であると、取り付け（巻き付け）及び取り外しの際に、非粘着部３ａ、３ｂを把持しやすい。また、非粘着部３ａ、３ｂが機械に引っかかる等の不具合が起きにくくなる。
【００３９】
巻端部側非粘着部３ａと巻止部側非粘着部３ｂは、同一形状であってもよいし、異なる形状であってもよい。
巻端部側非粘着部３ａの面積を１とした場合、巻止部側非粘着部３ｂの面積は、０．５以上が好ましく、０．８以上であることがより好ましい。また、２以下が好ましく、１．２５以下がより好ましい。
上記範囲内であると、取り付け（巻き付け）及び取り外しの際に、非粘着部３ａ、３ｂを把持しやすい。
【００４０】
粘着テープ３の形状を矩形状以外の形状とする場合、粘着テープ並びにその粘着部３ｃ及び非粘着部３ａ、３ｂの面積やその比率は、上記した矩形状である場合の好ましい範囲と同等になるようにするのが好ましい。
【００４１】
［梱包方法］
本発明の梱包方法により、感光体１に保護シート２を取り付ける（巻き付ける）際には、まず、保護シート２を用意し、感光体１の軸方向と保護シート２の幅員辺２Ｗとが平行になるように配置する。次に、感光体１の外表面に沿って保護シート２を巻き付け、巻端部２ａと巻合部２ｃが重なり合うように配設し、弛みが無いように保護シートに張力をかける。
【００４２】
この状態で、巻端部側非粘着部３ａが巻端部２ａの側に、巻止部側非粘着部３ｂが巻止部２ｂの側に位置するようにして、粘着テープ３の粘着部３ｃを、巻端部２ａと巻止部２ｂの境界付近に貼り付けて粘着固定することにより、保護シート２の取り付け（巻き付け）が完了する。
【００４３】
一連の取り付け（巻き付け）作業は、人の手で行なってもよいし、機械によって行なってもよい。
【００４４】
粘着テープ３が図４（ａ）に示すような横長な矩形状である場合、粘着テープ３の粘着部３ｃを貼り付ける際に、粘着テープ３の長辺３Ｌが、保護シート２の周沿辺２Ｌと略平行になるように貼り付けると、振動等で粘着テープが外れたり弛んだりしにくいので好ましいが、粘着テープ３を斜めに貼り付ける等の場合が、本発明の範囲外となるわけではない。粘着テープ３が別の形状の場合も同様に、長手方向が周沿辺２Ｌと略平行になるように貼り付けるのが好ましいが、斜めに貼り付ける等の場合が、本発明の範囲外となるわけではない。
また、粘着テープ３は、粘着部３ｃを、巻端部２ａの側と巻止部２ｂの側にほぼ均等になるように貼り付けるのが好ましい。
【００４５】
図５に示すように、保護シート２の巻端部２ａと巻止部２ｂを、２つ（以上）の粘着テープ３で粘着固定してもよい。
【００４６】
本発明では、粘着テープ３により保護シート２の巻端部２ａと巻止部２ｂを固定する際に、巻止部側非粘着部３ｂを把持し、図６（ａ）の矢印の方向に引っ張りながら（張力をかけながら）、保護シート２を感光体１に巻き付けることができる。本発明では、保護シート２の巻き付け方向と張力の方向が一致することから、保護シート２の弛みを防止することができる。
【００４７】
開梱時に、保護シート２を取り外す際には、巻端部側非粘着部３ａを把持し、図６（ｂ）の矢印の方向に引き上げることにより、粘着部３ｃのうち、巻端部２ａに位置する部分が離れ保護シート２の固定が解除される。この際、粘着部３ｃのうち、巻端部２ａの側に位置していた部分は一旦露出することになる。粘着部３ｃのうち一旦露出した部分が、感光体１に付着すると、感光体表面の汚染を引き起こす原因となるが、本発明では、巻端部２ａから剥がされた粘着部３ｃの部分は、巻合部２ｃと巻止部２ｂの境界付近に付着し、粘着テープ３は、保護シート２の表面上に残り（図６（ｃ））、感光体１に付着することがない。
【００４８】
本発明では、中央に粘着部３ｃを設け、両端の２つの非粘着部３ａ、３ｂを設けた特殊な形状の粘着テープ３を保護シート２の粘着固定に使用し、保護シート２の取り付け（巻き付け）の際には巻止部側非粘着部３ｂを把持し、取り外しの際には巻端部側非粘着部３ａを把持して作業を行う。
これにより、本発明では、保護シート２の弛みを防止でき、かつ、保護シート取り外し時の粘着剤の付着による感光体１の汚染を防止できる。
【００４９】
一方、特許文献５に記載の従来の粘着テープ１３は、一端のみが粘着剤のない非粘着部（剥離部）１３ａとなっており、他端側も含めて残りの部分は粘着部１３ｃとなっている（図７）。
特許文献５に記載の従来の粘着テープ１３により保護シート２を感光体１に巻き付けて固定する場合、取り外しの際に感光層を粘着剤による汚染から保護するため、取り付け（巻き付け）の際に、粘着テープ１３の非粘着部（剥離部）１３ａを、保護シート２の巻端部２ａの側に位置させざるを得ない（図８）。
このため、従来の粘着テープ１３を使用して保護シート２を感光体１に巻き付けて固定する場合、保護シート２が弛まないように張力をかける方向と、粘着テープ３を貼りつける方向が反対となってしまう。その結果、弛みなく保護シート２を巻き付ける（取り付ける）ことが困難となり、輸送中の振動等に起因する不具合が発生しやすい。
【００５０】
本発明は、粘着テープ３の形状を特殊なものとし、保護シート２の取り付け（巻き付け）時と、取り外し時に、別々の非粘着部を把持して作業することにより、保護シートの弛みに起因する問題と、粘着剤の感光体への付着に起因する問題を解決したものである。本発明の円筒状電子写真用感光体は、梱包・輸送等の際に起こる汚染や傷の問題が少なく、信頼性が高い。
【産業上の利用可能性】
【００５１】
本発明の円筒状電子写真用感光体の梱包方法により梱包された円筒状電子写真用感光体は、保護シートにより弛みなく保護されており、また、保護シートを取り外す際に粘着剤により汚染されにくいので、梱包・輸送等の取り扱いの仕方に起因する性能低下が起こりにくいので、複写機、プリンター、ファクシミリ等に広く利用されるものである。
【符号の説明】
【００５２】
１    円筒状電子写真用感光体
２    保護シート
２ａ  巻端部
２ｂ  巻止部
２ｃ  巻合部
２Ｌ  周沿辺
２Ｗ  幅員辺
３    粘着テープ
３ａ  巻端部側非粘着部
３ｂ  巻止部側非粘着部
３ｃ  粘着部
３Ｌ  長辺
３Ｗ  短辺
１３    粘着テープ（従来品）
１３ａ  非粘着部（剥離部）
１３ｃ  粘着部
【図１】
2017151272.tif 000003
【図２】
2017151272.tif 000004
【図３】
2017151272.tif 000005
【図４】
2017151272.tif 000006
【図５】
2017151272.tif 000007
【図６】
2017151272.tif 000008
【図７】
2017151272.tif 000009
【図８】
2017151272.tif 000010